(57)【要約】【課題】季節に対応した設置・保管が容易な除雪・融雪シートを提供する。【解決手段】除雪・融雪シート１は、電熱線を内蔵し、丸めて保管することのできるホットカーペット本体１１と、表面側被覆シート１２及び裏面側被覆シート１３と、表面側ラバーマット１４及び裏面側ラバーマット１５とを積層してなる。表面側被覆シート１２及び裏面側被覆シート１３は、耐熱製布地で形成され、設置時にホットカーペット本体１１の周囲に余り代１２ａ，１３ａが形成される同一サイズのもので、余り代１２ａ，１３ａは多層構造となる様にミシン縫いされた周縁補強部となっていて、雄雌対のホック１６，１７が取り付けられている。ホック１６，１７は、シートの周縁に沿ってほぼ等間隔となる様に取り付けられ、周縁にところどころ隙間が残る様になっている。各構成部材は、別々に巻き取って保管することができる。【選択図】  図１
2013256803.tif 000002
【特許請求の範囲】
【請求項１】
以下の構成を備えていることを特徴とする除雪・融雪シート。
（１）電熱線を内蔵し、丸めて保管することのできるホットカーペット本体と、このホットカーペット本体の表面及び裏面に設置される耐熱布製の被覆シートと、この耐熱布製被覆シートの表面及び裏面に設置されるラバーマットとを積層してなること。
（２）前記被覆シートは、別体の表面側被覆シートと裏面側被覆シートで構成され、表面側被覆シート及び裏面側被覆シートは、設置時に前記ホットカーペット本体の周囲に余り代が形成される同一サイズに形成され、互いの余り代の部分には、表面側被覆シートと裏面側被覆シートとで雄雌対となる係合部材が、シートの周縁に沿って所定間隔毎に取り付けられていること。
（３）前記ラバーマットは、別体の表面側ラバーマットと裏面側ラバーマットで構成され、表面側ラバーマット及び裏面側ラバーマットは、設置時に前記被覆シートの周囲に余り代が形成されるサイズを有すること。
【請求項２】
さらに、以下の構成を備えていることを特徴とする請求項１記載の除雪・融雪シート。
（４）前記表面側被覆シート及び裏面側被覆シートは、周縁が多層構造となる様にミシン縫いされた周縁補強部を有し、該周縁補強部に、前記係合部材として、雄雌対のホックが固定されていること。
【請求項３】
さらに、以下の構成を備えていることを特徴とする請求項１又は２記載の除雪・融雪シート。
（５）前記表面側ラバーマット及び裏面側ラバーマットは、それぞれ同一幅・同一長さの定寸ラバーマットを、端面を重ね合わす様に複数枚連続して並べることによって構成されていること。
【発明の詳細な説明】
【技術分野】
【０００１】
本発明は、住宅の屋根や玄関などに設置することによって除雪・融雪をするためのシートに関する。
【背景技術】
【０００２】
降雪地帯では、住宅の屋根の除雪作業や住宅の玄関周りの除雪作業に多大な労力を要している。
【０００３】
このため、特許文献１は、「線状のヒータが平面上に並べられた加熱手段と、加熱手段を制御するコントローラと、加熱手段を載置する基盤と、加熱手段を覆うように設けられた金属製の板状部材とを有する融雪装置」を住宅の玄関に設置することを提案している（図３（Ａ）参照）。
【０００４】
また、特許文献２は、「２層の防水シートからなり、全周辺を密閉部とし、面状発熱体を取り出し可能にする防水ファスナーを備えた融雪・融氷マット」を、住宅の屋根に設置することを提案している（図３（Ｂ）参照）。
【先行技術文献】
【特許文献】
【０００５】
【特許文献１】実用新案登録第３１２４８５７号（図１，図２）
【特許文献２】実用新案登録第３１２７３４６号（図１，図７）
【発明の概要】
【発明が解決しようとする課題】
【０００６】
特許文献１の融雪装置は、金属製の板状部材を有するソリッドな構造である。特許文献２の融雪・融氷マットも２層の防水シートの周辺を密閉構造としたソリッドな構造である。このため、これら従来技術では、設置方法が限られたり、保管が困難であるなどの問題があった。
【０００７】
そこで、本発明は、設置・保管が容易な除雪・融雪シートを提供することを目的とする。
【課題を解決するための手段】
【０００８】
上記目的を達成するためになされた本発明の除雪・融雪シートは、以下の構成を備えていることを特徴とする。
（１）電熱線を内蔵し、丸めて保管することのできるホットカーペット本体と、このホットカーペット本体の表面及び裏面に設置される耐熱布製の被覆シートと、この耐熱布製被覆シートの表面及び裏面に設置されるラバーマットとを積層してなること。
（２）前記被覆シートは、別体の表面側被覆シートと裏面側被覆シートで構成され、表面側被覆シート及び裏面側被覆シートは、設置時に前記ホットカーペット本体の周囲に余り代が形成される同一サイズに形成され、互いの余り代の部分には、表面側被覆シートと裏面側被覆シートとで雄雌対となる係合部材が、シートの周縁に沿って所定間隔毎に取り付けられていること。
（３）前記ラバーマットは、別体の表面側ラバーマットと裏面側ラバーマットで構成され、表面側ラバーマット及び裏面側ラバーマットは、設置時に前記被覆シートの周囲に余り代が形成されるサイズを有すること。
【０００９】
本発明の除雪・融雪シートは、設置場所に、まず、裏面側ラバーマットを敷き、その上に、ラバーマットからはみ出さない様に裏面側被覆シートを敷く。次に、裏面側被覆シートからはみ出さない様に、ホットカーペット本体を敷く。そして、裏面側被覆シートの係合部材と係合させながら、表面側被覆シートをホットカーペット本体の上から設置する。このとき、ホットカーペット本体の電源コードは、係合部材と係合部材の間の隙間を介して外へとはみ出させておく。そして、最後に、表面側被覆シートを完全に覆い隠す様に表面側ラバーマットを設置する。これにより、ホットカーペット本体は、表面及び裏面を耐熱性被覆シートでサンドイッチされた状態となり、さらにその表面及び裏面をラバーマットでサンドイッチされた状態になる。設置対象物にはラバーマットが接することから、上を人が歩いてもずれることがなく、屋根の傾斜程度で滑り落ちることがない。なお、屋根に設置する場合は、ラバーマットの端に鳩目金具を取り付けておいてロープ等で固縛できる様にしておくとよい。
【００１０】
本発明の除雪・融雪シートを取り外すときは、まず、表面側ラバーマットを巻き取る様にして取り外す。次に、表面側被覆シートを係合部材を離脱させつつ巻き取る様にして取り外す。そして、ホットカーペット本体を同じく巻き取る様にして取り外し、以下、裏面側被覆シートを巻き取る様にして取り外し、最後に裏面側ラバーマットを巻き取る様にして取り外す。この結果、夏場などにおいては、表面側ラバーマット、表面側被覆シート、ホットカーペット本体、裏面側被覆シート及び裏面側ラバーマットを別々に巻いたロール状にして倉庫などに保管することができる。
【００１１】
ここで、本発明の除雪・融雪シートは、さらに、以下の構成を備えるとよい。
（４）前記表面側被覆シート及び裏面側被覆シートは、周縁が多層構造となる様にミシン縫いされた周縁補強部を有し、該周縁補強部に、前記係合部材として、雄雌対のホックが取り付けられていること。
【００１２】
かかる構成をも備えることにより、係合部材の係合・離脱はホックの係合・離脱操作で簡単に実施でき、ホック取付部分は多層構造に補強されているので、季節毎に設置・保管を繰り返しても被覆シートに痛みが発生し難い。
【００１３】
また、本発明の除雪・融雪シートは、さらに、以下の構成をも備えるとよい。
（５）前記表面側ラバーマット及び裏面側ラバーマットは、それぞれ同一幅・同一長さの定寸ラバーマットを、端面を重ね合わす様に複数枚連続して並べることによって構成されていること。
【００１４】
かかる構成を採用することで、ラバーマットは一定幅の定寸ラバーマットに分割される結果、設置・保管が容易になり、端面を重ね合わす様に敷くことで、隙間無く大きな面積を覆うことができるからである。なお、ラバーマットは、それ自体が重量を有することから、風に煽られてしまうことがないので、端面を重ね合わす様に設置しておけば足りるのである。
【発明の効果】
【００１５】
本発明によれば、季節に対応した設置・保管が容易な除雪・融雪シートを提供することができる。
【図面の簡単な説明】
【００１６】
【図１】実施例１の除雪・融雪シートについて、一部拡大図を添えて示した斜視図である。
【図２】実施例２の除雪・融雪シートについて、設置手順を示した斜視図である。
【図３】従来技術の説明図である。
【発明を実施するための形態】
【００１７】
以下、本発明を実施するための形態を実施例で説明する。
【実施例１】
【００１８】
実施例１の除雪・融雪シート１は、図１に示す様に、電熱線を内蔵し、丸めて保管することのできるホットカーペット本体１１と、このホットカーペット本体１１の表面及び裏面に設置される表面側被覆シート１２及び裏面側被覆シート１３と、この被覆シート１２，１３の表面及び裏面に設置される表面側ラバーマット１４及び裏面側ラバーマット１５とを積層してなる。
【００１９】
表面側被覆シート１２及び裏面側被覆シート１３は、耐熱製布地で形成され、設置時にホットカーペット本体１１の周囲に余り代１２ａ，１３ａが形成される同一サイズのものである。余り代１２ａ，１３ａは、多層構造となる様にミシン縫いされた周縁補強部となっていて、ここに係合部材として、雄雌対のホック１６，１７が取り付けられている。ホック１６，１７は、シートの周縁に沿ってほぼ等間隔となる様に取り付けられ、周縁にところどころ隙間が残る様になっている。
【００２０】
表面側ラバーマット１４及び裏面側ラバーマット１５は、設置時に被覆シート１２，１３の周囲に余り代が形成されるサイズを有する。
【００２１】
この除雪・融雪シート１は、設置場所に、まず、裏面側ラバーマット１５を敷き、その上に、ラバーマットからはみ出さない様に裏面側被覆シート１３を敷く。次に、裏面側被覆シート１３からはみ出さない様に、ホットカーペット本体１１を敷く。そして、表面側被覆シート１２を、そのホック１６を、裏面側被覆シート１３のホック１７と係合させながらホットカーペット本体１１の上から設置する。このとき、ホットカーペット本体１１の電源コード１８は、隣合うホックの間の隙間を介して外へとはみ出させておく。そして、最後に、表面側被覆シート１２を完全に覆い隠す様に表面側ラバーマット１４を設置する。
【００２２】
これにより、ホットカーペット本体１１は、表面及び裏面を耐熱性被覆シート１２，１３でサンドイッチされた状態となり、さらにその表面及び裏面をラバーマット１４，１５でサンドイッチされた状態になる。設置対象物には裏面側ラバーマット１５が接することから、上を人が歩いてもずれることがなく、屋根の傾斜程度で滑り落ちることがない。
【００２３】
この除雪・融雪シート１を取り外すときは、まず、表面側ラバーマット１４を巻き取る様にして取り外す。次に、表面側被覆シート１２をホックを離脱させつつ巻き取る様にして取り外す。そして、ホットカーペット本体１１を同じく巻き取る様にして取り外し、以下、裏面側被覆シート１３を巻き取る様にして取り外し、最後に裏面側ラバーマット１５を巻き取る様にして取り外す。この結果、夏場などにおいては、表面側ラバーマット１４、表面側被覆シート１２、ホットカーペット本体１１、裏面側被覆シート１３及び裏面側ラバーマット１５を別々に巻いたロール状にして倉庫などに保管することができる。
【００２４】
また、被覆シート１２，１３の係合・離脱はホック１６，１７の係合・離脱操作で簡単に実施でき、ホック取付部分は多層構造に補強されているので、季節毎に設置・保管を繰り返しても被覆シートに痛みが発生し難い。
【実施例２】
【００２５】
次に、実施例２の除雪・融雪シート２について説明する。実施例１との相違は、図２に示す様に、表面側ラバーマット１４及び裏面側ラバーマット１５を、それぞれ同一幅・同一長さの定寸ラバーマット１４ａ〜１４ｃ、１５ａ〜１５ｃを、端面を重ね合わす様に３枚連続して並べることによって構成されている点である。
【００２６】
実施例２によれば、設置時には、まず、３枚の裏面側定寸ラバーマット１５ａ〜１５ｃを、端面を重ね合わす様に敷く。３枚の裏面側定寸ラバーマット１５ａ〜１５ｃは別体のものであるが、端面が重ね合わされることにより、互いの摩擦と上側に位置するラバーマットの重量とにより、既に、ずれ難い状態となっている。
【００２７】
こうして裏面側定寸ラバーマット１５ａ〜１５ｃを敷いた上に、ラバーマットからはみ出さない様に裏面側被覆シート１３を敷く。次に、裏面側被覆シート１３からはみ出さない様に、ホットカーペット本体１１を敷く。そして、表面側被覆シート１２を、そのホック１６を、裏面側被覆シート１３のホック１７と係合させながらホットカーペット本体１１の上から設置する。このとき、ホットカーペット本体１１の電源コード１８は、隣合うホックの間の隙間を介して外へとはみ出させておく。そして、最後に、表面側被覆シート１２を完全に覆い隠す様に、３枚の表面側定寸ラバーマット１４ａ〜１４ｃを互いの端面が重なり合う様に設置する。
【００２８】
３枚の表面側定寸ラバーマット１４ａ〜１４ｃも別体のものであるが、端面が重ね合わされることにより、互いの摩擦と上側に位置するラバーマットの重量とにより、ずれ難い状態となっている。
【００２９】
この除雪・融雪シート２を取り外すときは、まず、３枚の表面側定寸ラバーマット１４ａ〜１４ｃを上に重なっているものから順番に巻き取る様にして取り外す。次に、表面側被覆シート１２をホックを離脱させつつ巻き取る様にして取り外す。そして、ホットカーペット本体１１を同じく巻き取る様にして取り外し、以下、裏面側被覆シート１３を巻き取る様にして取り外し、最後に裏面側ラバーマット１５ａ〜１５ｃを上に重なっているものから順番に巻き取る様にして取り外す。この結果、夏場などにおいては、３枚の表面側定寸ラバーマット１４ａ〜１４ｃ、表面側被覆シート１２、ホットカーペット本体１１、裏面側被覆シート１３及び３枚の裏面側定寸ラバーマット１５ａ〜１５ｃを別々に巻いたロール状にして倉庫などに保管することができる。
【００３０】
以上、本発明のいくつかの実施例について説明したが、本発明はこれらの実施例に限られるものではなく、その要旨を逸脱しない範囲内においてさらに種々の形態を採用することができることはもちろんである。
【産業上の利用可能性】
【００３１】
降雪時の住宅の玄関や屋根の除雪・融雪に利用することができる。
【符号の説明】
【００３２】
１・・・除雪・融雪シート（実施例１）
２・・・除雪・融雪シート（実施例２）
１１・・・ホットカーペット本体
１２・・・表面側被覆シート
１２ａ，１３ａ・・・余り代
１３・・・裏面側被覆シート
１４・・・表面側ラバーマット
１４ａ〜１４ｃ・・・表面側定寸ラバーマット
１５・・・裏面側ラバーマット
１５ａ〜１５ｃ・・・裏面側定寸ラバーマット
１６，１７・・・ホック
１８・・・電源コード
【図１】
2013256803.tif 000003
【図２】
2013256803.tif 000004
【図３】
2013256803.tif 000005